(57)【特許請求の範囲】
【請求項１】
建具や家具に揮発性有機物質吸着用シートを設置し、前記揮発性有機物質吸着用シートが設置された箇所に室内空気を当てて前記箇所の空気を攪拌させ、
前記建具や家具を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、除湿機により室内の湿度を下げ、その後、室内の換気を行い、室内の揮発性有機物質の濃度を下げることを特徴とする揮発性有機物質の除去方法（ただし、前記揮発性有機物質とはトルエンまたはキシレンを意味する）。
【請求項２】
居住部分の床面に揮発性有機物質吸着用シートを設置し、
前記揮発性有機物質吸着用シートが設置された箇所に室内空気を当てて前記箇所の空気を攪拌させ、
前記床面を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、除湿機により室内の湿度を下げ、その後、室内の換気を行い、室内の揮発性有機物質の濃度を下げることを特徴とする揮発性有機物質の除去方法（ただし、前記揮発性有機物質とはトルエンまたはキシレンを意味する）。
【請求項３】
建具や家具に揮発性有機物質吸着用シートを設置し、
前記揮発性有機物質吸着用シートが設置された箇所に室内空気を当てて前記箇所の空気を攪拌させ、
前記建具や家具を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、加湿器により室内の湿度を上げ、その後、室内の換気を行い、室内の揮発性有機物質の濃度を下げることを特徴とする揮発性有機物質の除去方法（ただし、前記揮発性有機物質とは水に可溶な揮発性有機物質を意味する）。
【請求項４】
居住部分の床面に揮発性有機物質吸着用シートを設置し、
前記揮発性有機物質吸着用シートが設置された箇所に室内空気を当てて前記箇所の空気を攪拌させ、
前記床面を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、加湿器により室内の湿度を上げ、その後、室内の換気を行い、室内の揮発性有機物質の濃度を下げることを特徴とする揮発性有機物質の除去方法（ただし、前記揮発性有機物質とは水に可溶な揮発性有機物質を意味する）。
【請求項５】
建具や家具に揮発性有機物質吸着用シートを設置し、
前記揮発性有機物質吸着用シートが設置された箇所に室内空気を当てて前記箇所の空気を攪拌させ、
前記建具や家具を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、室内の温度の加温し、前記加温とともに加湿器により室内の湿度を上げ、その後、室内の換気を行い、室内の揮発性有機物質の濃度を下げることを特徴とする揮発性有機物質の除去方法（ただし、前記揮発性有機物質とは水に可溶な揮発性有機物質を意味する）。
【請求項６】
居住部分の床面に揮発性有機物質吸着用シートを設置し、
前記揮発性有機物質吸着用シートが設置された箇所に室内空気を当てて前記箇所の空気を攪拌させ、
前記床面を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、室内の温度の加温し、前記加温とともに加湿器により室内の湿度を上げ、その後、室内の換気を行い、室内の揮発性有機物質の濃度を下げることを特徴とする揮発性有機物質の除去方法（ただし、前記揮発性有機物質とは水に可溶な揮発性有機物質を意味する）。
【発明の詳細な説明】
【０００１】
【発明の属する技術分野】
本発明は、建築物の室内の建材から発生する揮発性有機物質を除去する方法に関する。
【０００２】
【従来の技術】
建築物施工後、建材等から発生する揮発性有機物質が室内空気中に蓄積した場合、従来では、このような揮発性有機物質を強制的に除去する方法がないため、窓やドアを開けて換気を行い、室外に放出して低減化する自然換気の方法がとられていた。
【０００３】
【発明が解決しようとする課題】
しかしながら、窓やドアを開けての自然換気では長期間を要し、長期間行うと屋外の埃や雨によって室内が汚れる場合がある。
さらに悪天候の場合は、窓やドアを開けての自然換気は実施できない。
特に建具や家具、あるいは床から発生する揮発性有機物質は量が多く、また、建具や家具は閉鎖してしまうために、棚板等から発散されるホルムアルデヒドやアセトアルデヒド、接着剤から発せられるトルエン、キシレン等はいつまでも発散しきれずに建材内に留まり、長時間にわたり揮発性有機物質の発散が持続された。そのため、室内の揮発性物質の濃度の上昇に大きく関与していた。
本発明は前記事情に鑑み案出されたものであって、本発明の目的は、悪天候の場合でも室内が埃や雨によって汚れることがなく、揮発性有機物質の発生しない環境を長期間保証することができる揮発性有機物質の除去方法を提供することにある。
【０００４】
請求項１に記載の発明は、建具や家具に揮発性有機物質吸着用シートを設置し、前記揮発性有機物質吸着用シートが設置された箇所に室内空気を当てて前記箇所の空気を攪拌させ、
前記建具や家具を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、除湿機により室内の湿度を下げ、その後、室内の換気を行い、室内の揮発性有機物質の濃度を下げることを特徴とする揮発性有機物質の除去方法である（ただし、前記揮発性有機物質とはトルエンまたはキシレンを意味する）。
請求項２に記載の発明は、居住部分の床面に揮発性有機物質吸着用シートを設置し、
前記揮発性有機物質吸着用シートが設置された箇所に室内空気を当てて前記箇所の空気を攪拌させ、
前記床面を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、除湿機により室内の湿度を下げ、その後、室内の換気を行い、室内の揮発性有機物質の濃度を下げることを特徴とする揮発性有機物質の除去方法である（ただし、前記揮発性有機物質とはトルエンまたはキシレンを意味する）。
請求項３に記載の発明は、建具や家具に揮発性有機物質吸着用シートを設置し、
前記揮発性有機物質吸着用シートが設置された箇所に室内空気を当てて前記箇所の空気を攪拌させ、
前記建具や家具を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、加湿器により室内の湿度を上げ、その後、室内の換気を行い、室内の揮発性有機物質の濃度を下げることを特徴とする揮発性有機物質の除去方法である（ただし、前記揮発性有機物質とは水に可溶な揮発性有機物質を意味する）。
請求項４に記載の発明は、居住部分の床面に揮発性有機物質吸着用シートを設置し、
前記揮発性有機物質吸着用シートが設置された箇所に室内空気を当てて前記箇所の空気を攪拌させ、
前記床面を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、加湿器により室内の湿度を上げ、その後、室内の換気を行い、室内の揮発性有機物質の濃度を下げることを特徴とする揮発性有機物質の除去方法である（ただし、前記揮発性有機物質とは水に可溶な揮発性有機物質を意味する）。
請求項５に記載の発明は、建具や家具に揮発性有機物質吸着用シートを設置し、
前記揮発性有機物質吸着用シートが設置された箇所に室内空気を当てて前記箇所の空気を攪拌させ、
前記建具や家具を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、室内の温度の加温し、前記加温とともに加湿器により室内の湿度を上げ、その後、室内の換気を行い、室内の揮発性有機物質の濃度を下げることを特徴とする揮発性有機物質の除去方法である（ただし、前記揮発性有機物質とは水に可溶な揮発性有機物質を意味する）。
請求項６に記載の発明は、居住部分の床面に揮発性有機物質吸着用シートを設置し、
前記揮発性有機物質吸着用シートが設置された箇所に室内空気を当てて前記箇所の空気を攪拌させ、
前記床面を構成する建材からの揮発性有機物質の放出を前記空気の攪拌により促進させつつ揮発性有機物質を前記揮発性有機物質吸着用シートに吸着させるようにした揮発性有機物質の除去方法であって、前記揮発性有機物質吸着用シート設置後、室内の温度の加温し、前記加温とともに加湿器により室内の湿度を上げ、その後、室内の換気を行い、室内の揮発性有機物質の濃度を下げることを特徴とする揮発性有機物質の除去方法である（ただし、前記揮発性有機物質とは水に可溶な揮発性有機物質を意味する）。
【０００５】
本発明によれば、建具や家具、床面の建材そのものの揮発性有機物質含有量が減るため、揮発性有機物質の発生しない環境を長期間保証することができる。
【０００６】
【発明の実施の形態】
以下、本発明の実施の形態について説明する。
本発明では、建具や家具に揮発性有機物質吸着用シートを設置する。
この場合、前記揮発性有機物質吸着用シートは、棚板、引き出し等の底面積より１．１倍以上の面積を有するものが用いられる。
そして、前記揮発性有機物質吸着用シートを、建具や家具の棚板、引き出し等の底面を覆うように敷き詰めると共に、棚板や引き出しの底面の端部から起立する立ち上がり部を前記揮発性有機物質吸着用シートで覆う。棚板や引き出しの底面の端部から起立する立ち上がり部を前記揮発性有機物質吸着用シートで覆うのは、立ち上がり部からの揮発性有機物質の放出量が多いためである。
【０００７】
次に、前記揮発性有機物質吸着用シートが設置された箇所にファン等により室内空気を当てて前記箇所の空気を攪拌させる。
この場合、建具や家具が扉や引き出しなどのような開口部を有する構造のものでは、開口部を開放した状態にして前記箇所の空気を攪拌させる。
前記箇所の空気の攪拌により、前記揮発性有機物質吸着用シートが設置された建材箇所の空気が停滞することなく流動し、前記建具や家具を構成する建材からの揮発性有機物質の放出が促進される。
そして、建材から放出された揮発性有機物質を揮発性有機物質吸着用シートに吸着させる。
このようにして建具や家具に蓄積された揮発性有機物質を取り除いていき、建具や家具中に蓄積された揮発性有機物質を低減化させ、建具や家具の建材そのものの揮発性有機物質含有量を低減化する。
【０００８】
本実施の形態では、建具や家具から発生する揮発性有機物質を揮発性有機物質吸着用シートにより、揮発性有機物質の発生場所である建具や家具において直に吸着するため、建具や家具中に蓄積された揮発性有機物質を効果的に低減することができる。
したがって、建具や家具の揮発性有機物質含有量を効果的に低減できるので、以後、室内の空気中のＶＯＣ濃度（揮発性有機物質濃度）を低い値に維持することができる。
【０００９】
また、本発明では、床面に揮発性有機物質吸着用シートを設置する。
次に、前記揮発性有機物質吸着用シートが設置された箇所にファン等により室内空気を当てて前記箇所の空気を攪拌させる。
前記箇所の空気の攪拌により、前記揮発性有機物質吸着用シートが設置された建材箇所の空気が停滞することなく流動し、前記床面を構成する建材からの揮発性有機物質の放出が促進される。
そして、建材から放出された揮発性有機物質を揮発性有機物質吸着用シートに吸着させる。
このようにして床面に蓄積された揮発性有機物質を取り除いていき、床面中に蓄積された揮発性有機物質を低減化させる。
【００１０】
本実施の形態では、床面から発生する揮発性有機物質を揮発性有機物質吸着用シートにより、揮発性有機物質の発生場所である床面において直に吸着するため、床面に蓄積された揮発性有機物質を効果的に低減することができる。
したがって、床面の揮発性有機物質含有量を効果的に低減できるので、以後、室内の空気中のＶＯＣ濃度（揮発性有機物質濃度）を低い値に維持することができる。
【００１１】
本発明において建具は、一戸建て住宅、集合住宅に建築時から設置されているものを示す。例としては、下駄箱、クローゼット、もの入れ、サイドボード、洗面台、キッチン、食器だな、作り付け本棚、押し入れ、床下収納庫、物置がある。
また、本発明において家具は、後に住居内に持ち込まれたのもで、例としては、洋服ダンス、本棚、机、いす、応接セット、ベンチチェスト、和ダンス等がある。
また、本発明において、揮発性有機物質吸着用シートが設置された箇所に室内空気を当てて前記箇所の空気を攪拌させるファンは、扇風機やエアコン等を含むものである。
【００１２】
前記揮発性有機物質吸着用シートの材料として、多孔性物質を成分とした吸着剤を使用できる。この場合の多孔性物質として、例えば、活性炭、漆喰、珪藻土、酸化チタン等の光触媒、備長炭、コルク材、シリカゲル等が挙げられる。
そして、これらをシート状にして使用する。
シートの形式としては、不織布や和紙、加工紙、ガーゼ等の通気性のよい素材で前記吸着剤を挟み込んだもの、あるいは、吸着剤を含浸させたもの、あるいは、吸着剤を布地に織り込んだもの等が挙げられる。
前記不織布や和紙、加工紙、ガーゼ等の素材は可燃ごみとして処分でき、使用後、揮発性有機物質吸着用シートが産業廃棄物とならない。また、不織布や和紙、加工紙、ガーゼ等の素材は、その上に靴や洋服等を置け、便利となる。
【００１３】
室内を加温することで、建具や家具、床面も加温され、建具や家具、床面からの揮発性有機物質の放出が促進される。そして、加温中は揮発性有機物質の放出により空気中の濃度が徐々に高くなり、やがて平衡状態となって放出速度が弱まる。
そのため、吸着剤により室内に浮遊する揮発性有機物質を吸着することで、あるいは、空気清浄器により室内に浮遊する揮発性有機物質を吸着することで、あるいは、換気扇等により室内の換気を行い室内に浮遊する揮発性有機物質を室外に排出することで、揮発性有機物質濃度を下げる。
このように揮発性有機物質濃度を下げることで、建材からの揮発性有機物質の放出を再度促進させ、より効果的に揮発性有機物質吸着用シートで吸着し、除去できる。
【００１４】
加温する方法としては、電熱器、ガスヒーター、その他のストーブ、ホットカーペット、エアーコンディショナー床暖房等がある。これらにより室温を上昇させる。室温は３０℃以上好ましくは、３５℃以上がよい。
加温時間は、０．１時間以上でも効果を発揮するが、好ましくは、５時間以上がよい。
換気は加温後に行うが、３０分以上が好ましい。部屋の広さや建具や家具の表面積にも影響を受ける。
揮発性有機物質の臭気が激しい場合は、加温前に窓を開けるなどして換気を３０分以上行うとさらに効果が上がる。
【００１５】
トルエン、キシレン等のような揮発性有機物質は、揮発性有機物質吸着用シート設置後あるいは、加温中に除湿器により室内の湿度を下げると、建具や家具、床面を構成する建材からの揮発性有機物質の放出量をさらに上昇させることができる。
また、ホルムアルデヒドやアセトアルデヒド、アルコール類等のように水に可溶な揮発性有機物質は、揮発性有機物質吸着用シート設置後あるいは、加温中に加湿器により室内の湿度を上げると、建材からの揮発性有機物質の放出量をさらに上昇させることができる。
そして、室内を除湿し、あるいは、加湿することで、建材からの揮発性有機物質の放出が促進されるが、揮発性有機物質の放出により空気中の濃度が徐々に高くなり平衡状態となると放出速度が弱まる。そこで、加温の場合と同様に、吸着剤により室内に浮遊する揮発性有機物質を吸着することで、あるいは、空気清浄器により室内に浮遊する揮発性有機物質を吸着することで、あるいは、換気扇等により室内の換気を行い室内に浮遊する揮発性有機物質を室外に排出することで、揮発性有機物質濃度を下げ、建材からの揮発性有機物質の放出を更に促進させる。
【００１６】
【実施例】
２０．５平方メートルの同じタイプのワンルーム間取りの室内にて、下記の本案による低減化施工を施した。
室内建具−大型クローゼット（内法  ６００ｍｍ×６００ｍｍ×１８００ｍｍ棚板３段）２台
室内家具−ライティング机内法（内法  ６００ｍｍ×９００ｍｍ×１２００ｍｍ  引き出し内法  ６００ｍｍ×６００ｍｍ×１００ｍｍ  が２段）
【００１７】
比較例１  揮発性有機物質吸着用シートを用いずに部屋の窓、扉、建具家具の扉を閉鎖し、７２時間閉鎖した。
比較例２  部屋の窓、扉を閉鎖し、７２時間閉鎖した。クローゼットの棚板、机引き出し、天板、本棚部分に揮発性有機物質吸着用シートを内法寸法の１．１倍の面積にして敷き詰め建具扉を開放した。室内を扇風機にて空気を循環させた。
比較例３  部屋の窓、扉を閉鎖し、クローゼットの棚板、机引き出し、天板、本棚部分に揮発性有機物質吸着用シートを内法寸法の１．１倍の面積にして敷き詰め建具扉を開放した。室内を扇風機にて空気を循環させた。室内を８時間／１日電気ストーブにて３０℃に加温し加温後部屋の窓、扉を１時間開放し室内の換気を行った。７２時間（３日間）この動作を繰り返した。
実施例１  部屋の窓、扉を閉鎖し、クローゼットの棚板、机引き出し、天板、本棚部分に揮発性有機物質吸着用シートを内法寸法の１．１倍の面積にして敷き詰め建具扉を開放した。室内を扇風機にて空気を循環させた。室内を８時間／１日電気ストーブにて加温し３０℃に加温後部屋の窓、扉を１時間開放し室内の換気を行った。加温中に加湿器を作動し、湿度を９０％以上とした。７２時間（３日間）この動作を繰り返した。
【００１８】
揮発性有機物質吸着用シートとして、活性炭を不織布で挟み込んだものを使用した。各実施例にてついて実施施工の前後で測定を行った。測定方法は、ホルムアルデヒド、アセトアルデヒド、アセトンについてはＤＮＰＨ吸収管にて１０リットル気体を採取した後、液体クロマトグラフィーで定量分析を行った。トルエン、キシレン、スチレン、については、ＴＥＮＡＸ吸収管にて２リットル気体を採取した後、ガスクロマト質量分析装置で定量分析した。その結果を表１に示す。
【００１９】
【表１】
0004678747.tif 000002
【００２０】
この表１から、本発明によれば、短時間で効率良く揮発性有機物質を建材から除去できることが明らかとなった。
【００２１】
【発明の効果】
本発明によれば、建具や家具、床面に蓄積された揮発性有機物質を揮発性有機物質吸着用シートにより、発生場所である建具や家具、床面において直に吸着するため、建具や家具、床面を構成する建材から揮発性有機物質を効率良く取り除くことができ、室内の空気中のＶＯＣ（揮発性有機物質）濃度を効果的に低減することができる。
また、本発明では、揮発性有機物質を揮発性有機物質吸着用シートにより建具や家具、床面において直に吸着するため、換気する時間が少なくて済み、したがって、外の天候に左右されずＶＯＣ濃度の低減化を図れる。
また、少ない簡単な工程により室内のＶＯＣ濃度を効果的に低減化でき、さらに、揮発性有機物質を発生場所である建具や家具、床面において直に吸着するため、換気を行わない場合であっても室内のＶＯＣ濃度を低減化できる。
なお、ＶＯＣは、建具や家具の内部に収納された洋服のクリーニング材、靴のクリーム剤、防虫剤、等からも発生するが、これらも同時に低減化できる。
また、建具や家具、床面を構成する建材から揮発性有機物質が効率良く取り除かれ、建具や家具、床面の建材そのものの揮発性有機物質含有量が減るため、有機物の発生しない環境を長期間保証することができる。